(57)【要約】【課題】発信履歴及び着信履歴と電話帳データとのリンクが不十分であるため、使用頻度の高い相手の電話帳データを確認・編集する際に、使用頻度の低い相手と同様の手順でしか呼び出すことできず、使用頻度の高い相手即ち親しい相手の電話帳情報変更などがあった際に、電話帳情報の変更が非常に不便であった。【解決手段】発信履歴及び／又は着信履歴から直接、電話帳データを編集することが可能な編集画面を呼び出し、確認及び編集することが可能な電話帳編集画面呼び出し機能を実装する。【選択図】図１
2006270659.tif 000002
【特許請求の範囲】
【請求項１】
発信履歴情報及び着信履歴情報と、電話加入者及び／又は電子メールサービス利用者毎の個別情報からなる電話帳情報とを格納する記憶手段と、
前記発信履歴情報、前記着信履歴情報及び前記電話帳情報のうち１つ以上を表示可能な表示手段と、
該表示手段によって表示される選択項目又は文字入力を制御可能な入力手段とを具備する移動体通信端末であって、
前記発信履歴情報又は前記着信履歴情報に表示されている電話加入者及び／又は電子メールサービス利用者が前記電話帳情報に記憶されている情報であった場合に、前記発信履歴情報又は前記着信履歴情報を表示している際に、前記入力手段からの操作によって前記電話加入者及び／又は電子メールサービス利用者の登録情報を編集可能な編集画面を表示する編集手段を備えていることを特徴とする移動体通信端末。
【請求項２】
前記個別情報は、１つ以上の電話番号及び／又は１つ以上の電子メールアドレスを有し、任意で名前、画像等のデータを関連づけて記憶していることを特徴とする、請求項１に記載の移動体通信端末。
【請求項３】
前記発信履歴情報及び／又は前記着信履歴情報は、電話加入者の電話番号又は電子メールサービス利用者の電子メールアドレスから特定される個人名、前記電話番号、前記電子メールアドレス、または特定の画像などの情報であることを特徴とする、請求項１又は２に記載の移動体通信端末。
【請求項４】
前記編集画面は、前記電話帳情報の登録時に表示される登録画面と同様の操作性を有していることを特徴とする、請求項１乃至３のいずれかに記載の移動体通信端末。
【請求項５】
前記編集画面を表示するための前記操作が、前記移動体通信端末の特定のキーを押すことで達成されることを特徴とする、請求項１乃至４のいずれかに記載の移動体通信端末。
【請求項６】
前記個別情報から特定される当該電話帳情報について、登録情報のうちいずれか１つにおいて、前記発信履歴情報及び／又は前記着信履歴情報と１文字のみ異なる登録情報があった場合には、前記発信履歴情報及び／又は前記着信履歴情報の表示画面から前記登録情報を表示し、編集する編集手段を備えていることを特徴とする、請求項１乃至５のいずれかに記載の移動体通信端末。
【請求項７】
発信履歴情報及び着信履歴情報と、電話加入者及び／又は電子メールサービス利用者毎の個別情報からなる電話帳情報とを格納する記憶手段と、
前記発信履歴情報、前記着信履歴情報及び前記電話帳情報のうち１つ以上を表示可能な表示手段と、
該表示手段によって表示される選択項目又は文字入力を制御可能な入力手段とを具備する移動体通信端末における登録情報の確認・編集方法において、
前記発信履歴情報又は前記着信履歴情報に表示されている電話加入者及び／又は電子メールサービス利用者が前記電話帳情報に記憶されている情報であった場合に、前記発信履歴情報又は前記着信履歴情報を表示している際に、前記入力手段からの操作によって前記電話加入者及び／又は電子メールサービス利用者の登録情報を編集可能な編集画面を表示し、確認及び編集することが可能であることを特徴とする、移動体通信端末における登録情報の確認・編集方法。
【請求項８】
前記個別情報は、１つ以上の電話番号及び／又は１つ以上の電子メールアドレスを有し、任意で名前、画像等のデータを関連づけて記憶していることを特徴とする、請求項７に記載の移動体通信端末における登録情報の確認・編集方法。
【請求項９】
前記発信履歴情報及び／又は前記着信履歴情報は、電話加入者の電話番号又は電子メールサービス利用者の電子メールアドレスから特定される個人名、前記電話番号、前記電子メールアドレス、または特定の画像などの情報であることを特徴とする、請求項７又は８に記載の移動体通信端末における登録情報の確認・編集方法。
【請求項１０】
前記編集画面は、前記電話帳情報の登録時に表示される登録画面と同様の操作性を有していることを特徴とする、請求項７乃至９のいずれかに記載の移動体通信端末における登録情報の確認・編集方法。
【請求項１１】
前記編集画面を表示するための前記操作が、前記移動体通信端末の特定のキーを押すことで達成されることを特徴とする、請求項７乃至１０のいずれかに記載の移動体通信端末における登録情報の確認・編集方法。
【請求項１２】
前記個別情報から特定される当該電話帳情報について、登録情報のうちいずれか１つにおいて、前記発信履歴情報及び／又は前記着信履歴情報と１文字のみ異なる登録情報があった場合には、前記発信履歴情報及び／又は前記着信履歴情報の表示画面から前記登録情報を表示し、編集する編集手段を備えていることを特徴とする、請求項７乃至１１のいずれかに記載の移動体通信端末における登録情報の確認・編集方法。
【発明の詳細な説明】
【技術分野】
【０００１】
本発明は、特に移動体通信端末における発信履歴/着信履歴からの電話帳編集画面呼び出し機能に関する。
【背景技術】
【０００２】
従来の移動体通信端末においては、記憶手段に登録されている電話帳情報から目的の相手を探しだし電話をかけることができ、また発信履歴/着信履歴からその番号を電話帳に登録することや、着信履歴から着信相手の電話帳情報を呼び出して表示することは可能であった。（例えば、特許文献１参照）
しかし、発信履歴及び着信履歴から電話帳データの編集画面を呼び出し、編集することはできなかった。その為、使用頻度の高い相手の電話帳データを確認・編集する際に、使用頻度の低い相手と同様の手順でしか呼び出すことできず、使用頻度の高い相手即ち親しい相手の電話帳情報変更などがあった際に、電話帳情報の変更が非常に不便であった。使用頻度の高い相手の電話帳データを編集・確認することが多いにも関わらず、電話帳呼び出し方法には使用頻度等での検索がないため、その度に他の検索方法（使用頻度の低い相手と同様の手順）でキー操作を行い呼び出す必要があった。
【特許文献１】特開２００３−２９８７２１号公報
【発明の開示】
【発明が解決しようとする課題】
【０００３】
本発明は、このような状況に鑑みてなされたものであり、移動体通信端末において上記問題点を解決できる電話帳編集画面呼び出し機能を提供することを目的とする。
【課題を解決するための手段】
【０００４】
本発明は上記課題を解決すべく、以下に掲げる構成とした。
請求項１記載の発明の要旨は、発信履歴情報及び着信履歴情報と、電話加入者及び／又は電子メールサービス利用者毎の個別情報からなる電話帳情報とを格納する記憶手段と、
前記発信履歴情報、前記着信履歴情報及び前記電話帳情報のうち１つ以上を表示可能な表示手段と、
該表示手段によって表示される選択項目又は文字入力を制御可能な入力手段とを具備する移動体通信端末であって、
前記発信履歴情報又は前記着信履歴情報に表示されている電話加入者及び／又は電子メールサービス利用者が前記電話帳情報に記憶されている情報であった場合に、前記発信履歴情報又は前記着信履歴情報を表示している際に、前記入力手段からの操作によって前記電話加入者及び／又は電子メールサービス利用者の登録情報を編集可能な編集画面を表示する編集手段を備えていることを特徴とする移動体通信端末に存する。
請求項２記載の発明の要旨は、前記個別情報は、１つ以上の電話番号及び／又は１つ以上の電子メールアドレスを有し、任意で名前、画像等のデータを関連づけて記憶していることを特徴とする、請求項１に記載の移動体通信端末に存する。
請求項３記載の発明の要旨は、前記発信履歴情報及び／又は前記着信履歴情報は、電話加入者の電話番号又は電子メールサービス利用者の電子メールアドレスから特定される個人名、前記電話番号、前記電子メールアドレス、または特定の画像などの情報であることを特徴とする、請求項１又は２に記載の移動体通信端末に存する。
請求項４記載の発明の要旨は、前記編集画面は、前記電話帳情報の登録時に表示される登録画面と同様の操作性を有していることを特徴とする、請求項１乃至３のいずれかに記載の移動体通信端末に存する。
請求項５記載の発明の要旨は、前記編集画面を表示するための前記操作が、前記移動体通信端末の特定のキーを押すことで達成されることを特徴とする、請求項１乃至４のいずれかに記載の移動体通信端末に存する。
請求項６記載の発明の要旨は、前記個別情報から特定される当該電話帳情報について、登録情報のうちいずれか１つにおいて、前記発信履歴情報及び／又は前記着信履歴情報と１文字のみ異なる登録情報があった場合には、前記発信履歴情報及び／又は前記着信履歴情報の表示画面から前記登録情報を表示し、編集する編集手段を備えていることを特徴とする、請求項１乃至５のいずれかに記載の移動体通信端末に存する。
請求項７記載の発明の要旨は、発信履歴情報及び着信履歴情報と、電話加入者及び／又は電子メールサービス利用者毎の個別情報からなる電話帳情報とを格納する記憶手段と、
前記発信履歴情報、前記着信履歴情報及び前記電話帳情報のうち１つ以上を表示可能な表示手段と、
該表示手段によって表示される選択項目又は文字入力を制御可能な入力手段とを具備する移動体通信端末における登録情報の確認・編集方法において、
前記発信履歴情報又は前記着信履歴情報に表示されている電話加入者及び／又は電子メールサービス利用者が前記電話帳情報に記憶されている情報であった場合に、前記発信履歴情報又は前記着信履歴情報を表示している際に、前記入力手段からの操作によって前記電話加入者及び／又は電子メールサービス利用者の登録情報を編集可能な編集画面を表示し、確認及び編集することが可能であることを特徴とする、移動体通信端末における登録情報の確認・編集方法に存する。
請求項８記載の発明の要旨は、前記個別情報は、１つ以上の電話番号及び／又は１つ以上の電子メールアドレスを有し、任意で名前、画像等のデータを関連づけて記憶していることを特徴とする、請求項７に記載の移動体通信端末における登録情報の確認・編集方法に存する。
請求項９記載の発明の要旨は、前記発信履歴情報及び／又は前記着信履歴情報は、電話加入者の電話番号又は電子メールサービス利用者の電子メールアドレスから特定される個人名、前記電話番号、前記電子メールアドレス、または特定の画像などの情報であることを特徴とする、請求項７又は８に記載の移動体通信端末における登録情報の確認・編集方法に存する。
請求項１０記載の発明の要旨は、前記編集画面は、前記電話帳情報の登録時に表示される登録画面と同様の操作性を有していることを特徴とする、請求項７乃至９のいずれかに記載の移動体通信端末における登録情報の確認・編集方法に存する。
請求項１１記載の発明の要旨は、前記編集画面を表示するための前記操作が、前記移動体通信端末の特定のキーを押すことで達成されることを特徴とする、請求項７乃至１０のいずれかに記載の移動体通信端末における登録情報の確認・編集方法に存する。
請求項１２記載の発明の要旨は、前記個別情報から特定される当該電話帳情報について、登録情報のうちいずれか１つにおいて、前記発信履歴情報及び／又は前記着信履歴情報と１文字のみ異なる登録情報があった場合には、前記発信履歴情報及び／又は前記着信履歴情報の表示画面から前記登録情報を表示し、編集する編集手段を備えていることを特徴とする、請求項７乃至１１のいずれかに記載の移動体通信端末における登録情報の確認・編集方法に存する。
【発明の効果】
【０００５】
本発明により、使用頻度の高い相手の電話帳データを呼び出す際に、電話帳検索でフリガナ検索やグループ検索を行う必要がなく、従来より少ない操作での電話帳情報の修正が可能となる。このことによって、親しい相手などの電話帳情報変更に際して必要となる、電話帳情報の修正が容易になり、煩雑な操作から解放される。
【発明を実施するための最良の形態】
【０００６】
本発明における移動体通信端末としては、音声通話及び／又は電子メール送受信を行うことが可能な通信手段を具備し、該通信手段における着発信履歴と電話加入者の電話番号や電子メールサービス利用者の電子メールアドレスを含みうる電話帳情報とを記憶可能な記憶手段と、前記電話帳情報を登録・編集可能な入力手段とを具備していることが望ましい。
【０００７】
以下、本実施の形態の実施例を示し、本発明を具体的に説明するが、本発明は下記実施例に制限されるものではない。
【実施例１】
【０００８】
図1に具体例として、通話発信履歴から電話帳データを呼び出す画面遷移図を示す。
まず、リダイヤル表示画面＜図1(a)＞で呼び出したいユーザにカーソルを合わせ、「Menu」キーを押下することで、サブメニュー画面＜図1(b)＞に遷移することができる。
【０００９】
次に、サブメニュー画面＜図1(b)＞において、本実施例ではサブメニューリストに丸数字４番「電話帳表示」を追加し、それを選択し「決定」キーを押下することにより、電話帳データ画面＜図1(c)＞に遷移し、電話帳データの確認・編集をすることができる。
【００１０】
この電話帳データ画面において、「編集」キーを押下することで、電話帳データの編集を行う画面に遷移できる。まず、電話帳データ画面＜図1(c)＞において「編集」キーを押下することにより、電話帳編集箇所選択＜図１(d)＞の画面に遷移できる。
【００１１】
電話帳編集箇所選択の画面においては、電話帳に登録のあるデータ、本実施例においては名前、グループ名、電話番号、電子メールアドレス等が表示されており、この中からカーソル操作によって選択する任意の項目を編集することができる。「編集終了」にカーソルを合わせ押下することで、編集画面を終了させることが可能である。また、本画面において「Menu」キーを押下することにより各種設定メニューを呼び出すことが可能であり、当該電話帳情報に関連づけられた別情報等の設定を変更することも可能である。例えば、当該電話帳情報の電話番号と数字が１つだけ異なる番号（登録間違い）が電話帳情報に存在した場合、これを呼び出して編集・修正する、といったことも可能である。
【００１２】
この電話帳編集箇所選択の画面において、カーソル操作によって「ユーザ１」を選択し「決定」キーを押下することにより、編集入力画面＜図１(e)＞を表示させることができる。
【００１３】
編集入力画面においては、入力手段によって入力される文字情報によって当該電話帳情報、ここでは「ユーザ１」という名前情報を編集することができる。編集が終了したら、「編集終了」を選択し「決定」キーを押下することで、編集入力画面から戻ることができる。
【００１４】
なお、本実施例においては、発信電話番号履歴からの電話帳データ呼び出しを例示したが、本発明によれば、着信電子メール履歴、発信電子メール履歴、着信電話番号履歴及び発信電話番号履歴のいずれからも、当該履歴に対応する電話帳情報の呼び出し確認・編集が可能である。
【図面の簡単な説明】
【００１５】
【図１】実施例１に基づく電話帳編集画面呼び出し機能の画面遷移図
【図１】
2006270659.tif 000003